(57)【特許請求の範囲】
【請求項１】
遊技盤の表面側に形成された遊技領域に可動役物を備え、
該可動役物を動作させるためのスライド機構を備えており、
該スライド機構は、
電気的に回転駆動力を発生させる駆動源と、該駆動源の回転駆動力により回転される回転部材と、該回転部材の回転軸から離れた位置で回転軸方向に突出形成された突部を有する回転駆動手段と、
長手方向が上下方向となるように配置された２つの支持部材と、
長手方向が横方向となるように形成されて前記突部が摺動可能に挿入された長孔を有し、前記２つの支持部材に摺動可能に支持され、前記突部の回転移動に伴って、該突部が前記長孔内を摺動しながら当該突部から前記長孔に対して上下方向の力が掛かり、これにより、前記２つの支持部材の長手方向に沿って上下方向にスライド移動するように構成されたスライド部材と、
を有しており、
前記２つの支持部材のうち、前記突部が上方に向けて回転移動する際に当該突部がより近くを通る方の支持部材に、前記スライド部材を上方に付勢して前記長孔を上下方向に傾斜させる付勢部材が配設されており、前記突部が上方に向けて回転移動する際に該突部が前記長孔内を下降端側から上昇端側に向けて移動することを特徴とする遊技機。
【発明の詳細な説明】
【技術分野】
【０００１】
本発明は遊技機に関し、特に、可動役物を有する遊技機に関するものである。
【背景技術】
【０００２】
従来、パチンコ遊技機等の遊技機においては、遊技盤の表面側に形成された遊技領域に演出用の可動役物を備えているものがある。また、その可動役物の中には、駆動源からの回転駆動力をスライド移動に変えるスライド機構を有しており、そのスライド移動によって動作するようになっているものもある。
【０００３】
ここで、前記したようなスライド機構で動作する可動役物の中には、可動役物におけるスライド部材が、２つの支持部材に支持部を介してそれぞれ支持されており、２つの支持部材に沿ってスライド可能に支持されているものがある。またさらに、２つの支持部材に沿ってスライド移動するスライド部材を有するスライド機構の中には、スライド部材のスライド移動を補助する目的で、２つの支持部材に支持されるスライド部材の支持部の双方に同じ付勢力を有するバネ等の付勢部材を配設したものもある（例えば、特許文献１参照）。
【先行技術文献】
【特許文献】
【０００４】
【特許文献１】特開２００７−２０９５１２号公報
【発明の概要】
【発明が解決しようとする課題】
【０００５】
しかしながら、前記したようなスライド機構においては、回転駆動力をスライド移動に変換する際にスライド部材に掛かる回転駆動力は、２つの支持部材に支持される双方の支持部において必ずしも均等に掛かるものではなく、その回転駆動力が掛かる箇所に応じて不均等な力が掛かるものである。また、スライド部材をスライド移動可能とするために、そのスライド部材と当該スライド部材を支持する支持部材との間にクリアランスを設けているが、このクリアランスと前記したスライド部材の双方の支持部に掛かる不均等な力により、スライド移動した際にスライド部材が円滑に動かずにガタつくことがあり、ビビリ音等を発生させてしまうこともあった。
【０００６】
なお、特許文献１のように、２つの支持部材に支持されるスライド部材の支持部の双方に同じ付勢力を有するバネ等の付勢部材を配設したとしても、結局双方に掛かる力の差が埋まる訳ではないため、回転駆動力による不均等な力を解消してスライド部材が円滑に動くようにすることはできず、スライド部材がガタついて、ビビリ音等を発生させてしまう問題を解消することはできなかった。
【０００７】
本発明は、このような事情に鑑みてなされたものであり、スライド部材が円滑に移動することができるスライド機構を有する遊技機を提供することを目的とする。
【課題を解決するための手段】
【０００８】
かかる課題を解決するために、本発明の請求項１に記載の発明は、遊技盤の表面側に形成された遊技領域に可動役物を備え、該可動役物を動作させるためのスライド機構を備えており、該スライド機構は、電気的に回転駆動力を発生させる駆動源と、該駆動源の回転駆動力により回転される回転部材と、該回転部材の回転軸から離れた位置で回転軸方向に突出形成された突部を有する回転駆動手段と、長手方向が上下方向となるように配置された２つの支持部材と、長手方向が横方向となるように形成されて前記突部が摺動可能に挿入された長孔を有し、前記２つの支持部材に摺動可能に支持され、前記突部の回転移動に伴って、該突部が前記長孔内を摺動しながら当該突部から前記長孔に対して上下方向の力が掛かり、これにより、前記２つの支持部材の長手方向に沿って上下方向にスライド移動するように構成されたスライド部材と、を有しており、前記２つの支持部材のうち、前記突部が上方に向けて回転移動する際に当該突部がより近くを通る方の支持部材に、前記スライド部材を上方に付勢して前記長孔を上下方向に傾斜させる付勢部材が配設されており、前記突部が上方に向けて回転移動する際に該突部が前記長孔内を下降端側から上昇端側に向けて移動する遊技機としたことを特徴とする。
【０００９】
請求項１に係る発明によれば、スライド部材が円滑に移動可能となり、良好な動きの可動役物を有する遊技機とすることができる。
【図面の簡単な説明】
【００１０】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の可動役物の正面図である。
【図５】同パチンコ遊技機の可動役物の裏面図である。
【図６】同パチンコ遊技機の可動役物のスライド機構の模式図である。
【図７】同パチンコ遊技機の可動役物で突部が図５の状態から９０°回転した状態の裏面図である。
【図８】同パチンコ遊技機の可動役物で突部が図４の状態から１８０°回転した状態の正面図である。
【図９】同パチンコ遊技機の可動役物で突部が図５の状態から１８０°回転した状態の裏面図である。
【発明を実施するための形態】
【００１１】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【００１２】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１３】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１４】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１５】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１６】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１７】
遊技板３１は、その板面（遊技盤３０の盤面）等に遊技盤３０の有する各構成部材を固定するための板である。ガイドレール３２は、この遊技板３１の表面側に固定されて、この遊技板３１上に、パチンコ球の発射通路３１ａと、パチンコ球が転動する転動領域３１ｃ（後述）を含む遊技領域３１ｂとを区画形成する。遊技盤３０における遊技領域３１ｂのほぼ中央部には、遊技板３１に貫設された開口部３８が形成されている。この開口部３８の周縁には、センター装飾部材４０が形成されている。また、開口部３８の周縁のうちの上方位置には、電気的に駆動させて所定の動きをする可動役物１００（後述）が配設されている。また、本実施の形態では、開口部３８の下部を覆うように、ステージ５０が形成されている。
【００１８】
また、遊技領域３１ｂにおいては、遊技板３１に形成された開口部３８の周囲の少なくとも一部に、パチンコ球が転動しながら流下する転動領域３１ｃが形成されている。本実施の形態では、ガイドレール３２と開口部３８との間の領域で、開口部３８の上方から左方及び右下方までの領域が転動領域３１ｃとなっている。
【００１９】
また、転動領域３１ｃにおける遊技板３１の板面上には、パチンコ球の流下方向を変化させる複数の遊技釘（障害部材）３９が打ち込まれている。上述の打球槌が弾いたパチンコ球は、発射通路３１ａを通して遊技領域３１ｂ内の転動領域３１ｃに放出される。そして、転動領域３１ｃに放出されたパチンコ球は、遊技釘３９に当たって転動しながら転動領域３１ｃを流下し、最終的に何れかの入賞口又は遊技領域の最下方に位置するアウト口３６に入るようになっている。
【００２０】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２１】
また、遊技領域３１ｂ内において、演出表示装置３７の下方の転動領域３１ｃには、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２２】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２３】
また、遊技領域３１ｂの所定位置（本実施の形態では、開口部３８の周縁に装着されたセンター装飾部材４０の左側方）にはワープ通路９０が設けられており、遊技領域３１ｂにおける転動領域３１ｃの途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ０５に繋がる位置）にワープ通路９０の球出口９２が形成されている。そして、本実施の形態では、転動領域３１ｃに転動するパチンコ球が、球入口９１からワープ通路９０に入り、当該ワープ通路９０内を通って、球出口９２から放出されることで、パチンコ球がステージ５０に誘導されるようになっている。
【００２４】
また、転動領域３１ｃ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２５】
以下、本実施の形態における可動役物１００について図４〜図９を参照して詳細に説明する。図４は、本発明の実施の形態におけるパチンコ遊技機の可動役物の正面図であり、図５は、同パチンコ遊技機の可動役物の裏面図であり、図６は、同パチンコ遊技機の可動役物のスライド機構の模式図であり、図７は、同パチンコ遊技機の可動役物で突部が図５の状態から９０°回転した状態の裏面図であり、図８は、同パチンコ遊技機の可動役物で突部が図４の状態から１８０°回転した状態の正面図であり、図９は、同パチンコ遊技機の可動役物で突部が図５の状態から１８０°回転した状態の裏面図である。
【００２６】
本実施の形態における可動役物１００は、図３に示すように、開口部３８の上方位置に配設されており（すなわち、センター装飾部材４０の上部を構成している）、図４〜図９に示すように、装飾体からなる役物本体１１０とスライド機構１２０を有する構成となっている。この可動役物１００は、役物本体１１０が支点１１１で遊技板３１に対して回動可能に固定されていると共に、役物本体１１０とスライド機構１２０のスライド部材１５０が係合部１５４で回動可能に係合されている。これにより、スライド部材１５０がスライド移動（本実施の形態では、上下方向への直進往復移動）した際に、係合部１５４側の役物本体１１０がスライド部材１５０の動きに追随して動き（本実施の形態では、上下方向に動くようになっている）、役物本体１１０が支点１１１を中心として所定角度で往復回転移動するようになっている。
【００２７】
以下、本実施の形態におけるスライド機構１２０について、図４〜図９を参照して説明する。本実施の形態のスライド機構１２０は、回転駆動手段１３０、支持部材１４０、スライド部材１５０、付勢部材１６０の各部材を有してる。
【００２８】
回転駆動手段１３０は、電気的に回転駆動力を発生させるものであり、本実施の形態では、駆動源としてのモータ１３２と、モータ１３２の回転駆動力を伝える第１ギア１３３、第１ギアと歯合する、第１ギアより大型の回転部材としての第２ギア１３４、第２ギア１３４の回転軸１３５から離れた位置の板面から回転軸方向に突出して形成され、モータ１３２の駆動で回転する第２ギア１３４と共に回転移動する突部（駆動源の回転駆動力を受ける箇所）１３１を有している。なお、本実施の形態では、駆動源１３０は所定の１８０°の範囲（突部１３１が最下部から第１支持部材１４１側を通って最上部まで至る範囲）を往復駆動するように構成されている。
【００２９】
支持部材１４０は、第１支持部材１４１と第２支持部材１４２の２つの部材で構成されており、それぞれが突部１３１の突出方向と垂直に長手方向が位置し、また、長手方向が互いに平行に配置されている（すなわち長手方向が上下方向になっている）。また、本実施の形態では、第１支持部材１４１及び第２支持部材１４２は、丸い棒状部材で構成されている。
【００３０】
スライド部材１５０は、支持部材１４０に沿ってスライド移動する部材であり、第１支持部材１４１及び第２支持部材１４２に対して摺動可能に支持されるようにそれぞれに対して支持部を有している。本実施の形態では、支持部として、第１支持部材１４１と第２支持部材１４２をそれぞれ挿通するように平行に配置された第１支持部材挿通孔１５１と第２支持部材挿通孔１５２の２つの支持部材挿通孔を左右端部に有している。また、スライド部材１５０は、回転駆動手段１３０の突部１３１を摺動可能に挿入するように第１支持部材１４１と第２支持部材１４２の長手方向と垂直な横方向に長手方向が位置する長孔１５３を有している。この長孔１５３は、突部１３１が１８０°の範囲で回転する際に、その動きを妨げない程度の幅に形成されている。
【００３１】
付勢部材１６０は、スライド部材１５０の支持部材挿通孔の周囲を支持部材１４０の長手方向に沿って押圧するものであり、本実施の形態では、所定の押圧力を有する弦巻バネで構成されている。また、付勢部材１６０は、支持部材１４０の一方のみに形成されており、本実施の形態では、第１支持部材１４１に挿通されている。また、本実施の形態では、付勢部材１６０は、第１支持部材１４１の下側に配設され、スライド部材１５０に下側から当接して上方向にスライド部材１５０を押圧するように構成されている。
【００３２】
そして、この駆動源１３０の回転駆動力を突部１３１が挿通された長孔１５３で受け、突部１３１の回転に伴って、突部１３１が長孔１３内を摺動しながら長孔１５３の長手方向（横方向）と垂直な２つの支持部材１４１，１４２の長手方向（上下方向）に力（直線駆動力）が掛かることで、スライド部材１５０が２つの支持部材１４１，１４２の長手方向（上下方向）に沿ってスライド移動するようになっている。また、その際、付勢部材１６０が第１支持部材１４１の下側に配設されているため、特に下方から上方にスライド移動するときにスライド部材１５０の重量を支える補助となり、また、その付勢部材１６０によってスライド部材１５０が常に一定方向（ここでは、右上がりの方向）に付勢されている状態となっているため、付勢部材１６０がない状態や同じ力の付勢部材を双方に配置した状態でスライド移動により向きが変わってしまう場合と比べて、安定したスライド移動を行うことができるようになっている。また、付勢部材１６０で右上がり方向に付勢することで、下方から上方にスライド移動させる際の動き出しで長孔１５３が水平より右側が上がった状態となるため、回転移動からスライド移動への負荷が特に掛かる動き出しにおいて、突部１３１の動きを補助して動き易くすることができる。
【００３３】
なお、スライド部材１５０が上方から下方にスライド移動する際には、その重量で比較的安定してスライド移動することが可能であるため、特に下方向に付勢部材を設けなくても不具合がないものである。
【００３４】
以上のように、本実施の形態のパチンコ遊技機（遊技機）１０は、遊技盤３０の表面側に形成された遊技領域３１ｂに可動役物１００を備え、該可動役物１００を動作させるためのスライド機構１２０を備えており、該スライド機構１２０は、電気的に回転駆動力を発生させる駆動源１３２と、該駆動源１３２の回転駆動力により回転される第２ギア（回転部材）１３４と、該第２ギア（回転部材）１３４の回転軸１３５から離れた位置で回転軸方向に突出形成された突部１３１を有する回転駆動手段１３０と、長手方向が上下方向となるように配置された第１支持部材１４１及び第２支持部材１４２（２つの支持部材）と、長手方向が横方向となるように形成されて前記突部１３１が摺動可能に挿入された長孔１５３を有し、前記第１支持部材１４１及び第２支持部材１４２（２つの支持部材）に摺動可能に支持され、前記突部１３１の回転移動に伴って、該突部１３１が前記長孔１５３内を摺動しながら当該突部１３１から前記長孔１５３に対して上下方向の力が掛かり、これにより、前記第１支持部材１４１及び第２支持部材１４２（２つの支持部材）の長手方向に沿って上下方向にスライド移動するように構成されたスライド部材１５０と、を有しており、前記第１支持部材１４１及び第２支持部材１４２（２つの支持部材）のうち、前記突部１３１が上方に向けて回転移動する際に当該突部１３１がより近くを通る方の第１支持部材（支持部材）１４１に、前記スライド部材１５０を上方に付勢して前記長孔１５３を上下方向に傾斜させる付勢部材１６０が配設されており、前記突部１３１が上方に向けて回転移動する際に該突部１３１が前記長孔１５３内を下降端側から上昇端側に向けて移動するパチンコ遊技機（遊技機）１０としたことを特徴とする。
【００３５】
そして、本実施の形態のパチンコ遊技機（遊技機）１０によれば、スライド機構１２０のスライド部材１５０を支持してガイドする支持部材１４１，１４２の一方に付勢部材１６０を配設したことで、スライド部材１５０が円滑に移動可能となり、良好な動きの可動役物１００を有するパチンコ遊技機（遊技機）１０とすることができる。
【００３６】
また、本実施の形態のパチンコ遊技機（遊技機）１０によれば、回転駆動力を受ける箇所である突部１３１の回転の軌跡が近くを辿る方（図５における右側）の支持部材１４１、すなわち、２つの支持部材１４１，１４２のうち、突部１３１が上方に向けて回転移動する際に当該突部１３１がより近くを通る方の支持部材１４１に、付勢部材１６０が配設されていることで、例えばスライド部材１５０が上方向にスライドして、スライド部材１５０における図５の右側がより上がるように傾斜した際に、第１支持部材挿通孔のクリアランスで第１支持部材１４１が片当たり状態となり、スライド部材１５０によりガタつきのない円滑な動きをさせることができる。
【００３７】
また、付勢部材１６０がスライド部材１５０の下側に配設されていることで、駆動源１３０に負荷の掛かる下から上方向へのスライド移動時に、付勢部材１６０の付勢力でスライド移動を補助することができ、スライド部材１５０にさらに円滑な動きをさせることができる。特に、下方から上方へのスライド移動の動き出しにおいて、長孔が突部の動く方向に斜めになるため、スライド移動において動き出しが良くなり、スムーズなスライド移動の動きにすることができる。
【００３８】
なお、以上説明した各実施の形態は、本発明の理解を容易にするために記載されたものであって、本発明を限定するために記載されたものではない。
【００３９】
例えば、前記した実施の形態では、遊技機としてパチンコ遊技機を挙げて説明したが、本発明はこれに限るものではなく、パチスロ、アレンジボール等の他の遊技機にも適用可能である。
【００４０】
また、前記した実施の形態では、付勢部材１６０は弦巻バネからなっているが、本発明はこれに限るものではなく、付勢部材は、板バネ等の他のバネや、オイルダンパ等の他の付勢部材で構成されていても良い。
【００４１】
また、前記した実施の形態では、突部１３１が所定の範囲を往復駆動するようになっていたが、本発明はこれに限るものではなく、一定の方向に連続的に回転するようになっていても良い。
【００４２】
また、前記した実施の形態では、２つの支持部材１４１，１４２が丸い棒状部材で構成されており、スライド部材１５０は挿通孔１５１，１５２を有する支持部で支持部材に支持されるようになっていたが、本発明はこれに限るものではなく、支持部材が長孔形状のものであり、スライド部材の支持部がそれに挿通される棒状部材である等、摺動可能に支持される構成であれば適宜の構成で良い。
【００４３】
また、前記した実施の形態では、長孔１５３は第１支持部材挿通孔１５１と第２支持部材挿通孔１５２の間に形成されているが、スライド部材１５０の構成によっては、第１支持部材挿通孔１５１や第２支持部材挿通孔１５２の外側に形成されていても良い。ここで、長孔１５３が第１支持部材挿通孔１５１の外側（すなわち、図６における右端部側）に形成された場合は、図６と同様にスライド部材１５０を右上がりに付勢するようにした方が下方から上方への動きが安定するものである。そのため、付勢部材１６０は第１支持部材１４１側に配置され、スライド部材１５０が上方にスライド移動する際には、突部１３１が図６において右回転するような回転方向で動作するようになっていると良い。また、長孔１５３が第２支持部材挿通孔１５２の外側（すなわち、図６における左端部側）に形成された場合は、図６とは逆にスライド部材１５０を左上がりに付勢するようにした方が下方から上方への動きが安定するものである。そのため、付勢部材１６０は第２支持部材１４２側に配置され、スライド部材１５０が上方にスライド移動する際には、突部１３１が図６において左回転するような回転方向で動作するようになっていると良い。
【００４４】
また、前記した実施の形態では、付勢部材１６０は、２つの支持部材１４１，１４２のうち、突部１３１が上方に向けて回転移動する際に当該突部１３１がより近くを通る方の第１支持部材１４１一方のみに、スライド部材１５０をその下側から上方に付勢するように付勢部材が配置されていたが、本発明はこれに限るものではなく、２つの支持部材の双方に付勢部材が配置されていても良い。その場合には、２つの支持部材に配置されたそれぞれの付勢部材同士で付勢力が異なるようになっており、突部が上方に向けて回転移動する際に当該突部がより近くを通る一方の付勢部材が、他方の付勢部材よりも強い付勢力を与えることができるように構成されていることで、スライド部材が円滑に移動可能となるようにするものとする。
【００４５】
また、前記した実施の形態では、各部材の配置方向や移動方向として、上下方向は垂直方向と同じ方向、横方向は水平方向と同じ方向という意味合いで記載していたが、本発明はこれに限るものではなく、上下方向の中には、略垂直方向や上下方向に近い斜め方向までを含み、横方向の中には、略水平方向や横方向に近い斜め方向までを含むものである。要するに、スライド機構が回転駆動力をスライド移動力に変換してスライド部材をスライド移動させると共に付勢部材が支持部材に付勢力を与えるに当たり、これらが問題なく効率良く行える範囲であれば、支持部材やスライド部材や長孔等の各部材の配置方向やスライド部材の移動方向等の各部材の移動方向は、適宜の角度の方向で良い。
【符号の説明】
【００４６】
１０…パチンコ遊技機（遊技機）、３０…遊技盤、３１ｂ…遊技領域、１００…可動役物、１２０…スライド機構、１３０…回転駆動手段、１３１…突部、１３２…モータ（駆動源）、１３４…第２ギア（回転部材）、１３５…回転軸、１４０…支持部材、１４１…第１支持部材（支持部材）、１４２…第２支持部材（支持部材）、１５０…スライド部材、１５１…第１支持部材挿通孔（支持部材支持部）、１５２…第２支持部材挿通孔（支持部材支持部）、１５３…長孔、１６０…付勢部材
【図１】
0005561060.tif 000002
【図２】
0005561060.tif 000003
【図３】
0005561060.tif 000004
【図４】
0005561060.tif 000005
【図５】
0005561060.tif 000006
【図６】
0005561060.tif 000007
【図７】
0005561060.tif 000008
【図８】
0005561060.tif 000009
【図９】
0005561060.tif 000010